(57)【要約】  本発明は、２つの構成部品のうち第１の構成部品が、底部（６）と、周壁（７）と、底部から所定距離離隔していると共に内側に向かって延在している縁部（８）と、を備えており、単一の中央ハウジング（５）が、２つの構成部品の間に形成されており、底部（６）が、第１の関節面（１１）を形成しており、縁部（８）が、底部（６）の反対側において周囲支持面（１２）を形成し、底部（６）に向かっている側において第２の関節面（１３）を形成しており、２つの構成部品のうち第２の構成部品が、関連する椎骨の椎間板と接触するようになっているプレート（２０）と、拡幅ヘッド（２２）が設けられた単一の中央ピン（２１）とを備えており、拡幅ヘッド（２２）が、自由端側において第１の関節面（１１）と協働可能な第３の関節面（２３）を形成し、プレート（２０）に向かっている側において第２の関節面（１３）と協働可能な第４の関節面（２４）を形成しており、人工椎間板（１）が、弾性変形可能な材料で作られた少なくとも１つの構成部品（４）であって、第１の構成部品（２）の周囲支持面（１２）と第２の構成部品（３）のプレート（２０）との間に挟み込まれている人工椎間板に関する。
2011505943.tif 000002
【特許請求の範囲】
【請求項１】
互いに結合された椎間板それぞれに接続するようになっている２つの構成部品（２，３）を備えている、特に頸椎のための人工椎間板（１）において、
２つの前記構成部品のうち第１の構成部品（２）が、底部（６）と、周壁（７）と、前記底部から所定距離離隔した位置で内側に向かって延在している縁部（８）と、を備えており、単一の中央ハウジング（５）が、前記底部、前記周壁、及び前記縁部によって前記第１の構成部品内に形成されており、前記底部（６）が、第１の関節面（１１）を形成しており、前記縁部（８）が、前記底部（６）の反対側に周囲支持面（１２）を形成し、前記底部（６）側に第２の関節面（１３）を形成しており、
２つの前記構成部品のうち第２の構成部品（３）が、関連する椎骨の椎間板と接触するようになっているプレート（２０）と、拡幅されたヘッド（２２）が設けられた単一の中央ピン（２１）とを備えており、前記ヘッド（２２）が、自由端側において前記第１の関節面（１１）と協働可能な第３の関節面（２３）を形成し、前記プレート（２０）側において前記第２の関節面（１３）と協働可能な第４の関節面（２４）を形成しており、
前記ハウジング（５）と前記ヘッド（２２）とは、前記第１の構成部品（２）と前記第２の構成部品（３）との両方が、横方向に、すなわち前記中央ピン（２１）の軸線に対して垂直に、及び軸線方向に、すなわち前記中央ピン（２１）の前記軸線に沿って、互いに対して相対的に移動可能となるような大きさであり、
前記人工椎間板（１）が、弾性変形可能な材料で作られた少なくとも１つの構成部品（４）であって、前記第１の構成部品（２）の前記周囲支持面（１２）と前記第２の構成部品（３）の前記プレート（２０）との間に挟み込まれている前記構成部品（４）を備えており、弾性変形可能な材料で作られた前記構成部品（４）が、通常時において、前記第２の関節面（１３）と前記第４の関節面（２４）との互いに対する接触状態を維持しており、前記第１の関節面（１１）と前記第３の関節面（２３）とが互いに接触するように圧縮可能になっていることを特徴とする人工椎間板（１）。
【請求項２】
弾性変形可能な材料で作られた前記構成部品（４）が、リング状部品（４）であることを特徴とする請求項１に記載の人工椎間板（１）。
【請求項３】
前記第１の構成部品（２）が、前記周囲支持面（１２）の縁部に、弾性変形可能な前記構成部品（４）それぞれを横方向において保持するような大きさになっている外側保持縁部（１５）を備えていることを特徴とする請求項１又は２に記載の人工椎間板（１）。
【請求項４】
前記外側保持縁部（１５）が、前記周囲支持面（１２）の全周に亘って延在していることを特徴とする請求項３に記載の人工椎間板（１）。
【請求項５】
前記第２の構成部品（３）が、前記プレート（２０）側において、前記中央ピン（２１）と同軸に配置されている突起部分（３２）であって、嵌め込むことによって弾性変形可能な前記構成部品（４）を受容するような大きさになっている前記突起部分（３２）を備えていることを特徴とする請求項２〜４のいずれか一項に記載の人工椎間板（１）。
【請求項６】
前記第１の関節面（１１）が、凸状に形成され、球面状のキャップの形態をしており、
前記第３の関節面（２３）が、凹状に形成され、前記第１の関節面（１１）に対して相補的な形状になっていることを特徴とする請求項１〜５のいずれか一項に記載の人工椎間板（１）。
【請求項７】
前記中央ピン（２１）の前記ヘッド（２２）には、湾曲した接続領域を介して前記第２の関節面及び前記第４の関節面に接続されている湾曲した周囲面（２５）が形成されており、
前記第１の関節面（１１）が、湾曲した周囲領域（１４）を介して前記第２の関節面（１３）に接続されていることを特徴とする請求項１〜６のいずれか一項に記載の人工椎間板（１）。
【請求項８】
前記第１の構成部品（２）と前記第２の構成部品（３）とが、セラミックで作られていることを特徴とする請求項１〜７のいずれか一項に記載の人工椎間板（１）。
【請求項９】
前記中央ピン（２１）の前記拡幅ヘッド（２２）が、非円状の形状を有しており、
前記第２の構成部品（３）が前記第１の構成部品（２）に対して相対的に所定の角位置に配置された場合には、前記ヘッド（２２）が、前記第１の構成部品（２）によって形成されている前記ハウジング（５）内部に係止可能となり、
前記第２の構成部品（３）が前記第１の構成部品（２）に対して相対的に前記所定の角位置以外の角位置に配置された場合には、前記ヘッド（２２）が、前記ハウジング（５）から外側に抜け出ないようになっていることを特徴とする請求項１〜８のいずれか一項に記載の人工椎間板（１）。
【請求項１０】
前記第１の構成部品（２）が、２つの部分（２ａ，２ｂ）から成り、
２つの前記部分（２ａ，２ｂ）が組み付けられていない場合には、前記中央ピン（２１）の前記ヘッド（２２）が、前記第１の構成部品（２）によって形成される前記ハウジング（５）内部に容易に係止可能であり、
２つの前記部分（２ａ，２ｂ）が組み付けられている場合には、前記ハウジング（５）内において前記ヘッド（２２）を保持可能であることを特徴とする請求項１〜８のいずれか一項に記載の人工椎間板（１）。
【発明の詳細な説明】
【技術分野】
【０００１】
本発明は、特に頸椎のための人工椎間板に関する。
【背景技術】
【０００２】
椎骨の運動を再現すると共に２つ又は３つの構成部品から成る人工椎間板が製造されていることは既知である。人工椎間板が２つの構成部品から成る場合には、これら構成部品は、一方の構成部品を他方の構成部品と直接結合可能とするために、相補的な関節面を備えている。人工椎間板が３つの構成部品から成る場合には、各椎骨に係止されている２つの構成部品それぞれが、一般にポリエチレンで作られた、中間に配置され滑動する構成部品に結合されている。
【０００３】
既存の人工椎間板、特に頸椎のために意図された人工椎間板は、完全に満足することができるものではない。特に、繰り返し運動が人工椎間板に作用することによって、関節面が幾分急速に摩耗するので、人工頚部椎間板の場合には該関節面が小さくなってしまう。このような摩耗によって、粒子が不慮に患者の器官内に拡散してしまう。
【０００４】
人工椎間板が３つの構成部品から成る場合には、中間に配置された構成部品が放出される危険がさらに存在する。
【０００５】
さらに、既存の人工椎間板の製造は、金属同士の接触や金属とポリエチレンとの接触によって発生する応力を考慮しなくてはならないので、比較的複雑である。
【０００６】
特許文献１は、高剛性な構成部品と該高剛性な構成部品同士の間に挟み込まれている制振のための構成部品とを備えている、人工椎間板を開示している。制振のための構成部品は、中央に配置されており、高剛性な構成部品は、周囲に又は横方向に設けられ、一の高剛性な構成部品の他の高剛性な構成部品に対する傾斜を低減する数セットの“シリンダ”を備えている。図１１Ｂは、制振のための構成部品を部分的に減衰させることによって、“シリンダ”の“ピストン”が“シリンダ”の底部に当接することができることを表わす。一方、図１１Ｃは、制振のための構成部品を完全に減衰させても、“シリンダ”の“ピストン”が“シリンダ”の底部に当接することができないことを表わす。該特許文献の図２２ａ及び図２２ｂは、図１１に表わす椎間板の一の変形例を表わす。該変形例では、行程制限当接部を形成するために、ピストンが拡幅したヘッドを備え、シリンダが内縁部を形成している。
【先行技術文献】
【特許文献】
【０００７】
【特許文献１】米国特許出願公開第２００４／０２４４６０号明細書
【発明の概要】
【発明が解決しようとする課題】
【０００８】
本発明の目的は、既存の人工椎間板の欠点のすべてを解決することである。
【０００９】
従って、本発明の主たる目的は、関節面の磨耗を低減する、特に頸椎のための人工椎間板を提供することである。
【００１０】
本発明の他の目的は、中間に配置された構成部品が放出される危険性がない人工椎間板を提供することである。
【００１１】
本発明のさらなる目的は、既存の人工椎間板よりも容易に製造可能な人工椎間板を提供することである。
【課題を解決するための手段】
【００１２】
関連する人工椎間板は、既に知られているように、互いに結合された椎間板それぞれに接続するようになっている２つの構成部品を備えている。
【００１３】
本発明は、以下の通りである。
２つの構成部品のうち第１の構成部品が、底部と、周壁と、底部から所定距離離隔した位置において内側に向かって延在している縁部と、を備えており、単一の中央ハウジングが、底部と周壁と縁部とによって第１の構成部品内に形成されており、底部が、第１の関節面を形成しており、縁部が、底部の反対側に周囲支持面を形成し、底部側に第２の関節面を形成している。
２つの構成部品のうち第２の構成部品が、関連する椎骨の椎間板と接触するようになっているプレートと、拡幅されたヘッドが設けられた単一の中央ピンとを備えており、ヘッドが、自由端側において第１の関節面と協働可能な第３の関節面を形成し、プレート側において第２の関節面と協働可能な第４の関節面を形成している。
ハウジングとヘッドとは、第１の構成部品と第２の構成部品との両方が、横方向に、すなわち中央ピンの軸線に対して垂直に、及び軸線方向に、すなわち中央ピンの軸線に沿って、互いに対して相対的に移動可能となるような大きさである。
人工椎間板が、弾性変形可能な材料で作られた少なくとも１つの構成部品であって、第１の構成部品の周囲支持面と第２の構成部品のプレートとの間に挟み込まれている構成部品を備えており、弾性変形可能な材料で作られた構成部品が、通常時において、第２の関節面と第４の関節面との互いに対する接触状態を維持しており、第１の関節面と第３の関節面とが互いに接触するように圧縮可能になっている。
【００１４】
本発明における人工椎間板は、二組の関節面が形成されている結合された構成部品と、弾性変形可能な材料で作られた少なくとも１つの構成部品とを備えており、通常時において、第２の支持面と第４の支持面との互いに対する接触状態を維持している。力が軸線方向において人工椎間板に作用する場合には、第１の関節面と第３の関節面とが互いに接触するに至るまでは、該構成部品が弾性的に圧縮される。該構成部品の弾性的圧縮が第１の構成部品及び第２の構成部品の運動を抑制し、該弾性的圧縮が第１の関節面と第３の関節面との接触によって制限されるので、過度の応力が該構成部品に作用しなくなり、該構成部品の劣化が防止される。構成部品は、該一側面のみにおいて圧縮される。これにより該一側面では、第１の関節面と第３の関節面とが接触するようになり、該一側面の反対側の側面では、第２の関節面と第４の関節面との接触状態が維持される。これにより、接触面が広い状態を維持し、リング４によって受ける変形が制限されたままとなる。一方の構成部品を椎骨の横方向において他方の構成部品に対して相対的に並進移動させようとする力が作用している場合には、変形可能な構成部品によって、第２の関節面と第４の関節面とが、該力が作用している側面の反対側の側面上で互いに滑動する一方、第１の関節面と第３の関節面とが、該力が作用している側面上において接触するようになる。ここで、接触している関節面が広い状態を維持し、第１の構成部品と第２の構成部品とが互いに対して相対的に移動可能である限り、変形可能な構成部品のみが変形するようになっている。
【００１５】
上述の説明から明らかなように、本発明における人工椎間板では、人工椎間板に作用する力とは関わりなく、２つの関節面が永続的に接触していると共に、関節面が連続的に形成されている。これにより、関節面の磨耗量を小さくし、自然な関節運動を完全に回復させることができる。
【００１６】
本発明は、人工椎間板が２つ又は３つの構成部品から成るか否かに関わらず、既存の人工椎間板は構成部品が所定の単一の重心を中心として結合されるように構成されているという知見から得られる。この単一の重心は、実際には該人工椎間板の両構成部品に作用する複雑な運動には適応していない。これにより、上述の初期磨耗（premature wear）が発生する。本発明における人工椎間板は、“半負荷型（semi-stressed）”人工椎間板として説明されるが、逆に単一の関節中心を全く規定しない。二組の関節面と弾性的に変形可能な構成部品との共役効果によって、この人工椎間板は、上述の複雑な運動に適応した幅広い可動域を提供する。
【００１７】
好ましくは、人工椎間板は、弾性変形可能な材料で作られたリング状の構成部品を備えている。
【００１８】
好ましくは、第１の構成部品が、周囲支持面の縁部に、弾性変形可能な構成部品それぞれを横方向において保持するような大きさになっている外側保持縁部を備えている。
【００１９】
この外側保持縁部は、この（これら）変形可能な構成部品が第１の構成部品に対して相対的に移動することを防止する。
【００２０】
好ましくは、この外側保持縁部が、周囲支持面の全周に亘って延在している。
【００２１】
同一の目的を以て、第２の構成部品は、プレート側において、ピンと同軸に配置されている突起部分であって、嵌め込むことによって弾性変形構成部品を受容するような大きさになっている前記突起部分を備えている。
【００２２】
本発明の好ましい実施例では、第１の関節面が凸状に形成され、球面状のキャップの形態をしており、第３の関節面が凹状に形成され、第１の関節面に対して相補的な形状になっている。
【００２３】
好ましくは、ピンのヘッドが、湾曲した接続領域を介して第２の関節面及び第４の関節面に接続されている湾曲した周囲面を有しており、第１の関節面が、湾曲した周囲領域を介して第２の関節面に接続されている。
【００２４】
これら湾曲した領域によって、構成部品の磨耗が制限される。
【発明の効果】
【００２５】
第１の構成部品と第２の構成部品とは金属で作られている。好ましくは、第１の構成部品と第２の構成部品とはセラミックで作られている場合があり、この場合には、摩擦係数が低減される上に、この種の既知の人工椎間板の構成部品が有している様々な製造上の問題及び組立上の問題が解決される。
【００２６】
好ましくは、ピンのヘッドが非円状の形状を有しているので、第２の構成部品が第１の構成部品に対して相対的に所定の角位置に配置されている場合には、ヘッドが第１の構成部品によって形成されているハウジング内部に係止可能となり、第２の構成部品が第１の構成部品に対して相対的に所定の角位置以外の角位置に配置されている場合には、ヘッドがハウジングから外部に抜け出さないようになっている。
【００２７】
これにより、ピンがハウジングから抜け出す恐れがなくなる。
【００２８】
特にヘッドには、２つの平坦な側面が形成されており、非円状になっている。
【００２９】
他の実施例では、第１の構成部品が、２つの部分から成り、２つの部分が組み付けられていない場合には、ピンのヘッドが、第１の構成部品によって形成されるハウジング内部に容易に係止可能とされ、２つの部分が組み付けられている場合には、該ヘッドが、ハウジング内に保持可能とされる。
【００３０】
弾性変形可能な構成部品は、単に自身の周囲が伸長するだけでヘッドの後方に係合するように変形可能である。この構成部品も、上述のように変形することができない場合があり、構成部品が載置されたときにはピンがプレートに堅固に取り付けられておらず、構成部品が載置されればプレートに堅固に取り付けられる。
【００３１】
概略的な添付図面を参照することによって、本発明はさらに理解され、他の特徴及び利点が明らかになる。但し、添付図面は、本発明における人工椎間板の２つの実施例に関連するが、例示することを目的とし、これらに限定される訳ではない。
【図面の簡単な説明】
【００３２】
【図１】組立前における本発明の第１の実施例の斜視図である。
【図２】第１の実施例の軸線を通じて切断された、組立前における本発明の第１の実施例の側面断面図である。
【図３】第１の実施例に設けられた２つの構成部品が、４つの異なる相対位置のうち一の相対位置に配置されている側面図である。
【図４】第１の実施例に設けられた２つの構成部品が、４つの異なる相対位置のうち一の相対位置に配置されている側面図である。
【図５】第１の実施例に設けられた２つの構成部品が、４つの異なる相対位置のうち一の相対位置に配置されている側面図である。
【図６】第１の実施例に設けられた２つの構成部品が、４つの異なる相対位置のうち一の相対位置に配置されている側面図である。
【図７】組立前における本発明の第２の実施例の斜視図である。
【発明を実施するための形態】
【００３３】
発明の説明を簡便にするために、一の実施例の部分又は構成部品が他の実施例の部分又は構成部品に同一又は類似である場合には、その同一又は類似である部分又は構成部品に同一の参照符号を付し、該部分又は該構成部品については繰り返し説明しない。
【００３４】
図１〜図６は、特に頸椎のための人工椎間板であって、椎間板それぞれに接続されるようになっている２つの構成部品２，３と弾性変形可能な材料から作られているリング４とを備えている人工椎間板を表わす。
【００３５】
図示の実施例では、構成部品２は、下側の構成部品であり、ハウジングの境界を形成している。すなわち、構成部品２は、底部６と、周壁７と、底部６から所定距離離隔した位置で径方向内側に延在している縁部８とを備えている。これらの集合体は、高強度の材料、特にセラミック金属又は生体適合性を有している金属によって一体に形成されている。
【００３６】
底部６の中央には凸状の突起部分１０が設けられており、球面状のキャップが第１の関節面１１を形成している。
【００３７】
縁部８においては、底部６の反対側には、周囲支持面１２が形成されており、底部６側には、第２の関節面１３が形成されている。第１の関節面１１は、湾曲した周囲領域１４を介して第２の関節面１３に接続されている。
【００３８】
構成部品２は、周囲支持面１２の縁部に、周囲支持面１２の全周に亘って延在している外縁部１５をさらに備えている。この外縁部１５の内径が、図示の如くリング４の外径よりも僅かに大きいので、該リングが取付位置において周囲支持面１２上に載置された場合には、リング４は外縁部１５の近傍に配置される。従って、外縁部１５は、該取付位置ではリング４を横方向において保持することができる。
【００３９】
構成部品３は、関連する椎骨の椎間板と接触するようになっているプレート２０と、拡幅されたヘッド２２が形成されている中央ピン２１とを備えている。これらの集合体は、抵抗材料（resistant material）、特にセラミック金属又は生体適合性を有している金属によって一体に形成されている。
【００４０】
ヘッド２２の自由端には、第１の関節面１１と協働可能な凹状の第３の関節面２３が、球面状のキャップとして形成されている。ヘッド２２のプレート２０側には、第２の関節面１３と協働可能な第４の関節面２４が形成されている。
【００４１】
ヘッド２２には、湾曲した周囲面２５が形成されている。該周囲面は、湾曲した接続領域を介して、第２の関節面２３及び第４の関節面２４に接続されている。
【００４２】
ヘッド２２には平坦な側面３１が形成されているので、ヘッド２２が非円状になっている。ヘッドがこのように非円状になっているので、構成部品３が構成部品２に対して相対的に所定の角位置に配置された場合には、ヘッド２２が、構成部品２に形成されたハウジング５内部に係止可能となる。一方、構成部品２，３が成す角位置が所定の角位置以外の角位置に配置された場合には、ヘッド２２が、ハウジング５の外側に抜け出ないようになっている。
【００４３】
構成部品３は、ピン２１と同軸に設けられている突起部分３２をさらに備えている。該ピンの外径が構成部品４（リング４）の内径よりも僅かに小さいので、構成部品４（リング４）が突起部分３２の周囲に嵌め合わせ可能となる。
【００４４】
ハウジング５及びヘッド２２は共に、構成部品２，３の両方が互いに対して相対的に横方向及び軸線方向に可動するような大きさになっている。ここで、軸線方向とは、図２〜図６を参照して説明するように、ピン２１の軸線に沿った方向である。
【００４５】
リング４は、弾性材料によって形成されているか、膨張可能な構造を有しているか、又は不織材料によって形成されている場合がある。該リングは、金属材料又は高分子材料から作られた１つ以上の皿バネ座金（Belleville washers）によって形成されている場合もある。該リングは周囲支持面１２とプレート２０との間に挟み込まれており、図３に表わすように、第２の関節面１３及び第４の関節面２４が互いに接触している状態を維持している。
【００４６】
図４に表わすように、力が人工椎間板に対して軸線方向に作用している場合には、第１の関節面１１と第３の関節面２３とが互いに接触するに至るまでは、リング４が弾性的に圧縮される。このリングの弾性的圧縮が構成部品２，３の運動を抑制し、該弾性的圧縮が第１の関節面と第３の関節面との接触によって制限されるので、過度の応力がリング４に作用しなくなり、該リングの劣化が防止される。
【００４７】
力が人工椎間板１の一側面のみに対して軸線方向に作用している場合（例えば図５）には、リング４は、該一側面のみにおいて圧縮される。これにより該一側面では、第１の関節面１１と第３の関節面２３とが接触するようになり、該一側面の反対側の側面では、第２の関節面１３と第４の関節面２４との接触状態が維持されている。これにより、接触面が広い状態を維持し、リング４によって受ける変形が制限されたままとなる。
【００４８】
一方の構成部品２，３を椎骨の横方向において他方の構成部品３，２に対して相対的に並進移動させようとする力が作用している場合（例えば図６）には、リング４によって、第２の関節面１３と第４の関節面２４とが、該力が作用している側面の反対側の側面上で互いに滑動する一方、第１の関節面１１と第３の関節面２３とが、該力が作用している側面上において接触するようになる。ここで、接触している関節面１１，１３，２３，２４が広い状態を維持し、第１の構成部品２と第２の構成部品３とが互いに対して相対的に移動可能である限り、リング４のみが変形するようになっている。外縁部１５と突起部分３２とによって、リング４が、構成部品２，３に対して相対的に移動しないようになっている。
【００４９】
図７は、構成部品２が２つの部分２ａ，２ｂから成る代替的な実施例を表わす。当該実施例では、一方の部分２ａは、底部６と、他方の部分２ｂに組み付けるための周縁部４０とを備えている。他方の部分２ｂは、周壁７と縁部８とを備えている。
【００５０】
ピンは、リング４上に載置された場合にプレート２０に堅固に取り付けられる訳ではなく、上述のように載置されればプレート２０に堅固に取り付けられる。その後に、部分２ａ，２ｂが組み付けられ、互いに取り付けられることによって、構成部品２が形成される。
【００５１】
当該実施例では、リング４の外周部が伸縮可能でない場合やリング４の外周部がヘッド２２を越えて係合するために十分に伸縮可能でない場合であっても、リング４がプレート２０とヘッド２２との間に配置可能となる。さらに、当該実施例では、部分２ａ，２ｂが組み付けられていない場合であっても、ヘッド２２がハウジング５内部に容易に係合可能となる。
【００５２】
上述の説明から明らかなように、本発明は、従来技術に基づく異種同形の人工椎間板と比較して決定的な利点を有している、特に頸椎のための人工椎間板を提供する。決定的な利点とは、特に、人工椎間板に作用する力とは関わりなく、２つの関節面が永続的に接触していると共に、関節面が連続的に形成されていることである。これにより、関節面の磨耗量を小さくし、自然な関節運動を完全に回復させることができる。
【００５３】
単なる例示にすぎない様々な実施例を参照しつつ、本発明を説明した。本発明が、これら実施例に限定される訳ではなく、本願の特許請求の範囲によって保護されるすべての実施例に及ぶことは言うまでもない。
【符号の説明】
【００５４】
１  人工椎間板
２  構成部品
２ａ  部分
２ｂ  部分
３  構成部品
４  リング（構成部品）
５  ハウジング
６  底部
７  周壁
８  縁部
１０  突起部分
１１  第１の関節面
１２  周囲支持面
１３  第２の関節面
１４  周囲領域
１５  外縁部
２０  プレート
２１  ピン
２２  ヘッド
２３  第３の関節面
２４  第４の関節面
２５  周囲面
３１  平坦な側面
３２  突起部分
４０  周縁部
【図１】
2011505943.tif 000003
【図２】
2011505943.tif 000004
【図３】
2011505943.tif 000005
【図４】
2011505943.tif 000006
【図５】
2011505943.tif 000007
【図６】
2011505943.tif 000008
【図７】
2011505943.tif 000009
【国際調査報告】
2011505943.tif 000010
2011505943.tif 000011
2011505943.tif 000012